(57)【要約】【課題】  竿先側部材の竿先端表面に盛り上がり部分ができることを阻止するとともに、盛り上がりによるデザイン上違和感が生ずることのない穂先竿を提供する点にある。【解決手段】  芯金４を中間部から元側に掛けて一定の割合で大径化する棒状体４Ｂに形成するとともに先端部に段付き面４ａを介して先端側程小径化する小径部４Ａを形成する。小径部４Ａに補助パターン６を巻回するとともにその補助パターン６の外周面と芯金４の中間部から元側に掛けての外周面とに亘ってメインパターン５を巻回し、中空状の竿元側部材２の竿先側に内嵌合膨出部２Ａを形成する。【選択図】        図２
2006288236.tif 000002
【特許請求の範囲】
【請求項１】
中実棒状の竿先側部材とその竿先側部材に連結固定される中空状の竿元側部材とからなり、前記竿元側部材の竿先端の内周面に、前記竿先側部材の竿尻端部を内嵌保持するための内向きに突出する内嵌合膨出部を形成している穂先竿。
【請求項２】
請求項１記載の穂先竿用の竿体における中空状の竿元側部材の製作方法であって、一方向に引き揃えた強化繊維群に樹脂を含浸させたプリプレグを竿体長に相当する長さに裁断したメインパターンと、前記プリプレグを前記竿体長よりも短い長さに裁断した補助パターンとを形成するとともに前記メインパターンと前記補助パターンとを巻回して筒状体を形成する際に利用する芯金を設け、前記芯金を中間部から元側に掛けて一定の割合で大径化する棒状体に形成するとともに先端部に段付き面を介して先端側程前記内嵌合膨出部の突出量だけ小径化する小径部を形成し、前記小径部に前記補助パターンを巻回するとともにその補助パターンの外周面と前記芯金の前記中間部から元側に掛けての外周面とに亘って前記メインパターンを巻回し、前記中空状の竿元側部材に前記内嵌合膨出部を形成する穂先竿における中空状の竿元側部材の製造方法。
【請求項３】
前記中実棒状の竿先側部材の竿元端に、請求項２記載の前記内嵌合膨出部内に嵌合連結される小径連結部を形成してある請求項１記載の穂先竿における中実棒状の竿元側部材の製造方法。
【発明の詳細な説明】
【技術分野】
【０００１】
本発明は、穂先竿及びその製造方法に関する。
【背景技術】
【０００２】
穂先竿としては、中実棒状の竿先側部材とその竿先側部材を連結固定する中空状の竿元側部材とからなるものがある（特許文献１参照）。
【０００３】
【特許文献１】特開２００５−２７５９３号公報（公報段落番号〔０００３〕、〔０００５〕、〔００２３〕、図３〜図６）
【発明の開示】
【発明が解決しようとする課題】
【０００４】
上記したように、中実棒状の竿先側部材を採用するのは、魚が掛かった場合の反応の良さと軽量化とを両立させるものである。しかし、竿先側が中実棒状体であり、竿元側が中空状部材であるために、両者の連結構造に種々の工夫が凝らされているが、それでも、次ぎのような問題があった。
つまり、前記した公報の図６に示すように、竿元側部材の先端開口部に竿先側部材の竿元端を嵌合させる嵌合面を削り加工するために、プリプレグからなる補助パターンを削り代として先端開口内周面に装着していたが、竿元側部材の竿先端の外周面が盛り上がりを生じたり、その補助パターンの外側に巻き付けたメインパターンに段差部分ができて、その段差部分での皺が発生する等の問題があった。
また、補助パターンを竿先側に設けているので、竿元側部材の竿先端の外周面に盛り上がりを生じるところから、竿先側部材を竿元側部材に連結固定した際に、その連結部位において、公報の図２で示すように、竿先側部材と竿元側部材との夫々の外周面との間に段差が形成されることになる。そこで、その段差部分を埋めるために、塗料等を厚めに施して被覆する構成を採っていた。
そうすると、この塗料の塗布により、その塗布した部分に盛り上がりを生ずることになり、デザイン上違和感が生ずるものであり、かつ、塗料を塗布する修正作業のような工程が必要となる欠点があった。
【０００５】
本発明の目的は、デザイン上の違和感を解消し、塗料を塗布する修正作業のような工程を必要としない穂先竿を提供する点にある。
【課題を解決するための手段】
【０００６】
〔構成〕
請求項１に係る発明の特徴構成は、中実棒状の竿先側部材とその竿先側部材に連結固定される中空状の竿元側部材とからなり、前記竿元側部材の竿先端の内周面に、前記竿先側部材の竿尻端部を内嵌保持するための内向きに突出する内嵌合膨出部を形成している点にあり、その作用効果は次の通りである。
【０００７】
〔作用〕
つまり、竿元側部材の竿先端の内周面に、竿先側部材の竿元端を内嵌合するための削り代を確保する手段として、内向きに膨出する内嵌合膨出部を形成した。これによって、この膨出部分に対して竿先側部材の竿元端を嵌合する為の研削処理を施すことができるとともに、内向きに膨出する構成を採ったので、竿元側部材の外周面が従来のように盛り上がりを生ずることはない。
【０００８】
〔効果〕
したがって、竿連結部位の盛り上がりを解消できて、盛り上がりができることによる違和感を解消できるとともに、盛り上がりができたことによる竿先側部材と竿元側部材との段差を解消する為の塗料の塗布等を行う必要がない。
【０００９】
請求項２に係る発明の特徴構成は、請求項１記載の穂先竿における中空状の竿元側部材の製作方法であって、一方向に引き揃えた強化繊維群に樹脂を含浸させたプリプレグを竿体長に相当する長さに裁断したメインパターンと、前記プリプレグを前記竿体長よりも短い長さに裁断した補助パターンとを形成するとともに前記メインパターンと前記補助パターンとを巻回して筒状体を形成する際に利用する芯金を設け、前記芯金を中間部から元側に掛けて一定の割合で大径化する棒状体に形成するとともに先端部に段付き面を介して先端側程前記内嵌合膨出部の突出量だけ小径化する小径部を形成し、前記小径部に前記補助パターンを巻回するとともにその補助パターンの外周面と前記芯金の前記中間部から元側に掛けての外周面とに亘って前記メインパターンを巻回し、前記中空状の竿元側部材に前記内嵌合膨出部を形成する点にあり、その作用効果は次の通りである。
【００１０】
〔作用効果〕
つまり、竿元側部材の内嵌合膨出部を形成するのに、補助パターンをメインパターンに先行して芯金に巻回する製作方法を示したが、この方法を採る場合に、芯金の先端側部分に段付き面を介して小径部を形成することとしたので、この小径部に補助パターンを巻回することによって、巻回した補助パターンの外面を芯金の中間部の外面径と段差のできない径に形成することができる。
このような構成によって、補助パターンを芯金に巻回した状態でその外面にメインパターンを巻回しても補助パターンによる盛り上がりが生ずることはない。
以上のように、補助パターンによる削り代を確保するものであっても、芯金の外周面に対する改造を施すことによって、盛り上がりができることによる違和感を解消できるとともに、盛り上がりができたことによる竿先側部材と竿元側部材との段差を解消する為の塗料の塗布等を行う必要がない。
【００１１】
請求項３に係る発明の特徴構成は、前記中実棒状の竿先側部材の竿元端に、請求項２記載の前記内嵌合膨出部内に嵌合連結される小径連結部を形成してある点にあり、その作用効果は次の通りである。
【００１２】
〔作用効果〕
竿先側部材の竿元端に、請求項２記載の前記内嵌合膨出部内に嵌合連結される小径連結部を形成してあるので、竿先側部材の竿元端の外周面と竿元側部材の竿先端の外周面との接続部位において段差が出来にくく、段差を解消するための塗料の塗布等を必要としない。
【発明を実施するための最良の形態】
【００１３】
並継式または振出式の釣り竿における穂先竿Ａについて説明する。図１に示すように、穂先竿Ａは、中実棒状の竿先側部材１とその竿先側部材１に連結固定される中空状の竿元側部材２とからなる。ここでは、竿先側部材１と竿元側部材２とに外付けの釣り糸ガイド３を備えたもので説明する。
【００１４】
中実棒状の竿先側部材１について説明する。図１（ロ）に示すように、竿先側部材１は、竿の軸線Ｘ方向に沿って徐々に大径化する円錐棒状のものに形成されるとともに、竿元端近くに形成される最大大径部ａから竿元端側に竿元側程小径化する急傾斜面部１Ａとそのさらに竿元側に円柱状の小径連結部１Ｂとを形成して、竿元側部材２に連結可能に構成してある。
【００１５】
一方、中空状の竿元側部材２について説明する。図１（ロ）に示すように、竿元側部材２の竿先端開口部に奥側程小径化する入口急傾斜面部２Ｂを形成するとともに、その入口急傾斜面部２Ｂから更に奥側に向かって小径孔状の内嵌合膨出部２Ａを形成してある。小径孔状の内嵌合膨出部２Ａは一定長さに形成されているだけで、内嵌合膨出部２Ａの竿元側端より更に竿元側には、通常の肉厚を有する竿体部分２Ｃを形成している。
【００１６】
竿先側部材１の製作方法は次ぎの通りである。図示はしていないが、軸線に沿って束ねたガラス強化繊維の束（５００本〜１０００本）を熱硬化性樹脂液内に潜らせてその樹脂を含浸させた後ダイスより引き抜き所定長さに裁断して中実棒状の部材を形成する。ここで、強化繊維としては炭素繊維等も使用できるが、炭素繊維等に比して弾性率が低く柔軟性の高いガラス繊維を採用する。
このように穂先竿の先端に使用する部材を中実棒状としているのは、魚が掛かった場合に、竿が鋭敏に反応すべく構成する必要があるとともに、竿の先端に設けるものであるために、中実棒状の方が中空状のものに比べて軽量でありながら細径化できるからである。
【００１７】
ただし、剛性が高すぎると急激な魚の引き等に対応できずに折れや割れが発生する虞があるので、靭性を保持する為にガラス繊維を採用する方がよい。
以上のように形成した中実棒状の部材の外周面に対して竿元側程徐々に大径化する円錐状に研削加工を施すとともに、竿元端部に削り加工を施して、竿元側程小径化する急傾斜面部１Ａとそのさらに竿元側に一定の径を有する小径連結部１Ｂとを形成する。
【００１８】
中空状の竿元側部材２の製作方法について説明するが、まず、芯金４の形状について説明する。図２に示すように、棒状の素材より研削加工を施して、先端側から元側に掛けてその外周面を、一定の割合で大径化する棒状体４Ｂに形成するとともに先端部に段付き面４ａを介して竿先側程小径化する小径部４Ａを形成する。
【００１９】
このような芯金４に対して巻き付けられる側のプリプレグパターンについて説明する。図２に示すように、一方向に引き揃えた炭素繊維（又はガラス繊維）等からなる強化繊維ｃ群にエポキシ等の熱硬化性樹脂（又は熱可塑性樹脂）を含浸させてプリプレグを形成する。プリプレグから竿元側部材２として必要な竿の長さに相当する長さに裁断してメインパターン５を形成し、プリプレグから竿に相当する長さよりも短い長さに裁断した補助パターン６を形成する。
【００２０】
以上のように形成したメインパターン５と補助パターン６とから中空状の竿元側部材２を形成する。図２に示すように、補助パターン６の強化繊維ｃの方向を円周方向に引き揃える。引き揃えた補助パターン６を芯金４の先端側に形成された小径部４Ａに巻き付ける。この場合に巻付ける回数として２〜３回（所謂２プライから３プライ）巻付けることにする。それによって、十分な肉厚を確保できる。巻付け方は、補助パターン６の一枚で３プライを賄えるパターンに裁断することでもよいが、１回巻のパターンのものを複数枚巻付けるものでもよい。
このように、複数回に亘って補助パターン６を巻付けることによって、芯金４の小径部４Ａが覆われて段付き面４ａが隠される。つまり、小径部４Ａに巻き付けられた補助パターン６の表面と芯金４の中間部外周面とが段差の無い状態となる。
【００２１】
次に、メインパターン５を巻き付ける。図２に示すように、メインパターン５として、強化繊維ｃの引き揃え方向を円周方向に設定した内側メインパターン５Ａ、強化繊維ｃの引き揃え方向を軸線方向に設定した中間メインパターン５Ｂ、強化繊維ｃの引き揃え方向を円周方向に設定した外側メインパターン５Ｃを用意する。これらのメインパターン５を、補助パターン６の外周面を含んで芯金４の略全長に亘って巻回する。
メインパターン５を複数巻きした後は、図示していないが、セロファンテープ等で緊縛するとともに、焼成炉で焼成した後に、そのテープを剥離し、所定長さに裁断する。裁断した後には、センタレス研磨機等で所定の外面形状に加工する。つまり、竿元側に掛けて徐々に大径化する筒状体に形成され、所定の塗料や釣り糸ガイド３等を取り付けて竿元側部材２を形成する。
【００２２】
図３（イ）に示すように、上記したような製作方法で竿元側部材２の竿先端内周面には、補助パターン６を巻回したことによる内嵌合膨出部２Ａが設けてあり、竿先側部材１の小径連結部１Ｂを内嵌合すべく構成してある。
なお、センタレス研磨機等で所定の外面形状に加工する段階で、竿先側部材１との連結部を形成する為に、図３（イ）（ロ）に示すように、ドリル等の適当な工具によって内嵌合膨出部２Ａの入口に竿元側程小径化する入口急傾斜面部２Ｂを形成してある。
【００２３】
中空状の竿元側部材２に使用される強化繊維として２０〜２４トン/平方ミリメートルの弾性率を持つ繊維が選ばれる。この弾性率は一般的にみれば、中弾性系に属するものであり、強化繊維としてはＰＡＮ系炭素繊維やアラミド繊維、ボロン繊維等が使用できる。
中実棒状の竿先側部材１に使用される強化繊維としては、５〜１０トン/平方ミリメートルの弾性率を持つ繊維が選ばれる。この弾性率は一般的にみれば、低弾性系に属するものであり、強化繊維としてはガラス繊維等が使用できる。
【００２４】
以上のように構成した竿先側部材１と竿元側部材２とを連結するに、図１（ハ）に示すように、竿先側部材１の急傾斜面部１Ａと小径連結部１Ｂとを、竿元側部材２の入口急傾斜面部２Ｂから内嵌合膨出部２Ａに亘って内嵌するように構成してある。この内嵌連結する場合に、入口急傾斜面部２Ｂから内嵌合膨出部２Ａに掛けて接着剤を塗布することによって、連結構造を強固にできる。
【００２５】
〔別の実施形態〕
（１）  この種の穂先竿Ａを適用する竿としては、外面に釣り糸ガイド３を有していない鮎竿等に使用可能である。
【００２６】
（２）  上記したように、竿先側部材１と竿元側部材２とを連結する場合に、入口急傾斜面部２Ｂから内嵌合膨出部２Ａに掛けて接着剤を塗布することについて言及した。これに関連して、図４に示すように、入口急傾斜面部２Ｂから内嵌合膨出部２Ａに掛けて環状溝２ａ又は螺旋溝を形成して、接着剤の保有空間を確保する構成を採っても良い。
尚、このように環状溝２ａ等を形成することによって、竿先側部材１と竿元側部材２との連結部位における断面二次モーメント等の剛性に関係するものを低下させることができる。これによって、魚が掛かった場合の曲げの伝達が円滑になり、この部位での突っ張り感等が解消されることが期待できる。
【図面の簡単な説明】
【００２７】
【図１】（イ）は穂先竿を構成する中実棒状の竿先側部材と中空状の竿元側部材とを連結した状態を示す側面図、（ロ）は中実棒状の竿先側部材の後端部と中空状の竿元側部材の先端部との連結前の状態を示す縦断側面図、（ハ）は連結後の状態を示す縦断側面図
【図２】中空状の竿元側部材の製作方法を示し、プリプレグをマンドレルに巻き付ける前の状態を示す斜視図
【図３】（イ）は図２の製作方法によって内嵌合膨出部のみを形成された筒状体を示す縦断側面図、（ロ）は（イ）の状態から竿先開口に竿元側程小径化する入口急傾斜面部を形成した状態を示す縦断側面図
【図４】中空状の竿元側部材の入口急傾斜面部と内嵌合膨出部とに環状溝を形成した状態を示す縦断側面図
【符号の説明】
【００２８】
１            竿先側部材
２            竿元側部材
２Ａ          内嵌合膨出部
４            芯金
４Ａ          小径部
４Ｂ          棒状体
４ａ          段付き面
５            メインパターン
６            補助パターン
ｃ            強化繊維
【図１】
2006288236.tif 000003
【図２】
2006288236.tif 000004
【図３】
2006288236.tif 000005
【図４】
2006288236.tif 000006